(57)【要約】【課題】顧客がサービス券を利用して投票券を購入する際に、その手順を簡略化することができると共に投票券発券までに要する時間を短縮することができ、さらに運営事業者の投票用マークカードに要する費用負担を抑制することもできるようにする。【解決手段】公営競技の投票券を発券する投票券発券装置は、所定額の投票券購入代金として扱われると共に投票用マーク欄が印刷されているサービス券を読み取る読取部と、読取部によるサービス券の読取結果に基づいて、投票券を発券する発券部とを備える。【選択図】図４
2018072987.tif 000002
【特許請求の範囲】
【請求項１】
公営競技の投票券を発券する投票券発券装置であって、
所定額の投票券購入代金として扱われると共に投票用マーク欄が印刷されているサービス券を読み取る第１の読取部と、
前記第１の読取部による前記サービス券の読取結果に基づいて、投票券を発券する発券部と、
を備えることを特徴とする投票券発券装置。
【請求項２】
投票用マークカードを読み取る第２の読取部を更に備え、
前記発券部は、更に、前記第２の読取部による前記投票用マークカードの読取結果に基づいて、投票券を発券する、
ことを特徴とする請求項１記載の投票券発券装置。
【請求項３】
前記第１の読取部は、更に、前記投票券を読み取る、
ことを特徴とする請求項１又は２記載の投票券発券装置。
【請求項４】
当該投票券発券装置に対する所定の操作に応じて、前記発券部は、更に、前記サービス券を発券する、
ことを特徴とする請求項１乃至３の何れか一項に記載の投票券発券装置。
【請求項５】
前記投票用マーク欄は、所定の種類の投票券を購入可能にするためのマーク欄を含む、
ことを特徴とする請求項１乃至４の何れか一項に記載の投票券発券装置。
【請求項６】
前記投票用マーク欄は、当該投票券発券装置に対する顧客操作により前記所定の種類以外の種類の投票券を購入可能にするためのマーク欄を更に含み、当該マーク欄に対するマークが前記第１の読取部により読み取られた場合には、当該投票券発券装置に対する顧客操作に応じて入力された投票内容に基づいて前記発券部が投票券を発券する、
ことを特徴とする請求項５記載の投票券発券装置。
【請求項７】
公営競技の投票券を発券する投票券発券装置のコンピュータに、
所定額の投票券購入代金として扱われると共に投票用マーク欄が印刷されているサービス券を読み取る読取機能と、
前記読取機能による前記サービス券の読取結果に基づいて、投票券を発券する発券機能と、
を実現させるための投票券発券プログラム。
【発明の詳細な説明】
【技術分野】
【０００１】
本発明は、公営競技（競馬、競輪、競艇、オートレース等）の投票券を発券する投票券発券装置、及び、その投票券発券装置で実行される投票券発券プログラムに関する。
【背景技術】
【０００２】
従来、公営競技場の運営事業者は、売上向上を目的として様々なサービスを実施している。その一つとして、サービス券（ギフト券ともいう）の配布がある。サービス券は、公営競技場で購入される投票券の購入代金（例えば５００円分の購入代金）として扱われるものである。このサービスでは、運営事業者が、予めサービス券を発行しておき、それを公営競技場や街頭等で無料配布する。サービス券を受け取った人は、公営競技場に来場し、場内の投票券発券装置にてサービス券を利用して投票券を購入することで、無料又は通常よりも低額で投票券を購入することができる。これにより、来場経験者である顧客の来場が促進されることは勿論のこと、来場未経験者の新規顧客の来場も促進され、運営事業者は、より一層の売上向上を期待することができる。
【０００３】
なお、このようなサービスに使用される投票券発券装置として、例えば、特許文献１に記載の投票券発券装置や、特許文献２に記載の公営競技用投票券発払装置等が知られている。
【先行技術文献】
【特許文献】
【０００４】
【特許文献１】特開２０１５―１１４５５号公報
【特許文献２】特開２０１４―１６０４２９号公報
【発明の概要】
【発明が解決しようとする課題】
【０００５】
しかしながら、上述のサービスでは、次のような問題がある。
まず、上述のサービスに使用される投票券発券装置では、顧客がサービス券を利用して投票券を購入する場合に、サービス券の挿入と、投票内容を記入した投票用マークカードの挿入という２つの手順が必要となり、購入手順（投票手順）の煩わしさがある。また、サービス券を利用して投票券の購入が行われる場合には、サービス券を利用しないで投票券の購入が行われる場合に比べて、挿入されたサービス券の読み取りが更に行われる分、投票券発券までに要する時間が長くなる。また、上述のサービスにより顧客の来場が促進されて投票者が増加すると、それに伴って投票用マークカードの消費量が増加するため、運営事業者の投票用マークカードに要する費用負担が増加する。
【０００６】
本発明は、上記実状に鑑み、顧客がサービス券を利用して投票券を購入する際に、その手順を簡略化することができると共に投票券発券までに要する時間を短縮することができ、さらに運営事業者の投票用マークカードに要する費用負担を抑制することもできる投票券発券装置及び投票券発券プログラムを提供することを目的とする。
【課題を解決するための手段】
【０００７】
装置の一観点は、公営競技の投票券を発券する投票券発券装置であって、所定額の投票券購入代金として扱われると共に投票用マーク欄が印刷されているサービス券を読み取る第１の読取部と、前記第１の読取部による前記サービス券の読取結果に基づいて、投票券を発券する発券部と、を備えることを特徴とする。
【０００８】
プログラムの一観点は、公営競技の投票券を発券する投票券発券装置のコンピュータに、所定額の投票券購入代金として扱われると共に投票用マーク欄が印刷されているサービス券を読み取る読取機能と、前記読取機能による前記サービス券の読取結果に基づいて、投票券を発券する発券機能と、を実現させるための投票券発券プログラムである。
【発明の効果】
【０００９】
開示の装置及びプログラムは、顧客がサービス券を利用して投票券を購入する際に、その手順を簡略化することができると共に投票券発券までに要する時間を短縮することができ、さらに運営事業者の投票用マークカードに要する費用負担を抑制することもできる、という効果を奏する。
【図面の簡単な説明】
【００１０】
【図１】一実施の形態に係る投票券発券装置を含むトータリゼータシステムの構成例を示す図である。
【図２】一実施の形態に係る投票券発券装置のハードウェア構成例を示す図である。
【図３Ａ】投票券／サービス券印刷ユニットが発券するサービス券の券面印刷レイアウト例を示す図である。
【図３Ｂ】図３Ａに示したサービス券のＣの部分に印刷される投票用マーク欄の一例を示す図である。
【図４】一実施の形態に係る投票券発券装置の機能ブロック例を示す図である。
【図５Ａ】一実施の形態に係る投票券発券装置が実行する処理の一例を示すフローチャート（その１）である。
【図５Ｂ】一実施の形態に係る投票券発券装置が実行する処理の一例を示すフローチャート（その２）である。
【発明を実施するための形態】
【００１１】
以下、図面を参照しながら本発明の実施の形態を説明する。
図１は、一実施の形態に係る投票券発券装置を含むトータリゼータシステムの構成例を示す図である。
【００１２】
図１において、トータリゼータシステム１は、公営競技における投票券の発券、オッズの表示と集計、配当金の計算、投票券の払戻等を管理するシステムである。トータリゼータシステム１は、投票券発券装置１０、管理装置（ホストコンピュータ）２０、及びネットワーク３０を含み、投票券発券装置１０と管理装置２０がネットワーク３０を介して通信可能に接続されている。
【００１３】
投票券発券装置１０は、装置正面側に、運用状況表示窓１０１、投票券／サービス券投入排出口１０２、投票券／サービス券排出口１０３、投票カード投入排出口１０４、紙幣投入排出口１０５、硬貨投入口１０６、硬貨排出口１０７、ディスプレイ１０８、及びタッチパネル１０９等を備える。
【００１４】
運用状況表示窓１０１は、投票券発券装置１０において、投票券の発券受付中であるか発券停止中であるか、及び、投票券の払戻受付中であるか払戻停止中であるかを表示する。
【００１５】
投票券／サービス券投入排出口１０２は、払い戻しをする投票券が投入される投入口であると共に、投入された投票券が返却される排出口である。投票券の返却は、例えば、投票券が不的中投票券であった場合等に行われる。また、投票券／サービス券投入排出口１０２は、サービス券が投入される投入口であると共に、投入されたサービス券が返却される排出口でもある。サービス券の返却は、例えば、２枚のサービス券が投入された場合等に行われる。２枚のサービス券が投入された場合には２枚目のサービス券が返却される。サービス券は、投票券発券装置１０において所定額の投票券購入代金として扱われるものである。また、サービス券は、所定の種類（例えば２連単や２連複）の投票券を購入可能にするための投票用マーク欄等が印刷されており、投票用マークカード（以下単に「投票カード」という）としての機能も有する。
【００１６】
投票券／サービス券排出口１０３は、発券された投票券の排出口であり、また、発券されたサービス券の排出口でもある。
【００１７】
投票カード投入排出口１０４は、投票カードが投入される投入口であると共に、投入された投票カードが返却される排出口である。投票カードの返却は、例えば、投票カードの記入ミス（マークミス）等により投票内容を読み取れなかった場合等に行われる。
【００１８】
紙幣投入排出口１０５は、紙幣の投入口であり、また、返却する紙幣又は釣札とする紙幣の排出口でもある。硬貨投入口１０６は、硬貨の投入口である。硬貨排出口１０７は、返却する硬貨又は釣銭とする硬貨の排出口である。
【００１９】
ディスプレイ１０８は、タッチパネル１０９の下層に配置されており、操作案内、レース案内、投票カードの投票内容等の情報を表示する。ディスプレイ１０８は、例えば液晶ディスプレイである。
【００２０】
タッチパネル１０９は、透過型のタッチパネルであり、各種の入力や投票内容の修正等の際に操作される。ディスプレイ１０８により表示された情報は、タッチパネル１０９を透過して、投票者（顧客）から視認可能である。投票者は、ディスプレイ１０８により表示された情報を見ながら、タッチパネル１０９に対するタッチ操作を行うことができる。
【００２１】
なお、投票券発券装置１０において、投票券／サービス券投入排出口１０２と投票券／サービス券排出口１０３を一体構成としてもよい。また、硬貨投入口１０６と硬貨排出口１０７を一体構成としてもよい。また、投票券／サービス券投入排出口１０２を、投票券投入排出口とサービス券投入排出口のように別体構成としてもよいし、又は、投票券／サービス券投入口と投票券／サービス券排出口のように別体構成としてもよい。また、投票券／サービス券排出口１０３を、投票券排出口とサービス券排出口のように、別体構成としてもよい。また、投票カード投入排出口１０４を、投票カード投入口と投票カード排出口のように、別体構成としてもよい。また、紙幣投入排出口１０５を、紙幣投入口と紙幣排出口のように、別体構成としてもよい。
【００２２】
管理装置２０は、投票券発券装置１０とネットワーク３０を介して通信を行い、投票券発券装置１０が行う投票券の発券や投票券の払戻等を管理する。また、管理装置２０は、オッズの計算、配当金の計算等を行う。
【００２３】
ネットワーク３０は、例えばインターネット、イントラネット、専用線等である。
図２は、投票券発券装置１０のハードウェア構成例を示す図である。
【００２４】
図２に示したように、投票券発券装置１０は、制御部１１１、ディスプレイ１０８、管理者用ディスプレイ１１２、タッチパネル１０９、管理者用タッチパネル１１３、投票カード読取ユニット１１４、紙幣還流ユニット１１５、硬貨還流ユニット１１６、投票券／サービス券印刷ユニット１１７、及び投票券／サービス券読取ユニット１１８を含む。
【００２５】
制御部１１１は、ＣＰＵ（Central Processing Unit）１２０、ＲＡＭ（Random Access Memory）１２１、ＨＤＤ（Hard Disk Drive）１２２、通信インタフェース１２３、グラフィック処理ユニット１２４、及び入出力インタフェース１２５を含み、各々がバス１２６を介して接続されている。なお、制御部１１１は、コンピュータの一例でもある。
【００２６】
ＣＰＵ１２０は、ＯＳ（Operating System）のプログラムやアプリケーションプログラム（図５Ａ及び図５Ｂを用いて後述する処理を実行させるプログラムを含む）を実行することにより、投票券発券装置１０の動作を制御する。ＲＡＭ１２１は、ＣＰＵ１２０により実行されるＯＳのプログラムやアプリケーションプログラムの少なくとも一部を一時的に格納する。また、ＲＡＭ１２１は、ＣＰＵ１２０による処理に必要な各種データ（例えば投票内容のデータ等）を格納する。ＨＤＤ１２２は、ＣＰＵ１２０により実行されるＯＳのプログラムやアプリケーションプログラムを格納する。
【００２７】
通信インタフェース１２３は、ネットワーク３０に接続され、例えば、管理装置２０との間でデータ（各種の情報、電文、通知等）の送受信を行う。
【００２８】
なお、ＣＰＵ１２０により実行されるＯＳのプログラムやアプリケーションプログラムは、図示しない外部装置から、ネットワーク３０及び通信インタフェース１２３を介して、例えばＲＡＭ１２１に格納されて、ＣＰＵ１２０により実行されてもよい。また、後述の可搬型記録媒体１１９に格納され、後述の可搬型記録媒体インタフェース及び入出力インタフェース１２５を介して、例えばＲＡＭ１２１に格納されて、ＣＰＵ１２０により実行されてもよい。
【００２９】
グラフィック処理ユニット１２４には、ディスプレイ１０８及び管理者用ディスプレイ１１２が接続されている。グラフィック処理ユニット１２４は、ＣＰＵ１２０の制御の下に、各種の情報をディスプレイ１０８、管理者用ディスプレイ１１２の画面に表示させる。管理者用ディスプレイ１１２は、投票券発券装置１０の裏面側に設けられる管理者向けのディスプレイであり、後述の管理者用タッチパネル１１３の下層に配置される。管理者用ディスプレイ１１２も、ディスプレイ１０８と同様に、例えば液晶ディスプレイである。
【００３０】
入出力インタフェース１２５には、タッチパネル１０９、管理者用タッチパネル１１３、投票カード読取ユニット１１４、紙幣還流ユニット１１５、硬貨還流ユニット１１６、投票券／サービス券印刷ユニット１１７、及び投票券／サービス券読取ユニット１１８が接続されている。また、入出力インタフェース１２５は、可搬型記録媒体１１９に対する情報の書込み及び読出しが可能な可搬型記録媒体インタフェースと接続可能になっている。
【００３１】
管理者用タッチパネル１１３は、投票券発券装置１０の裏面側に設けられる管理者向けのタッチパネルであり、タッチパネル１０９と同様に、透過型のタッチパネルである。管理者用タッチパネル１１３は、各種の入力やサービス券の発券等の際に操作される。管理者用ディスプレイ１１２により表示された情報は、管理者用タッチパネル１１３を透過して、管理者から視認可能である。管理者は、管理者用ディスプレイ１１２により表示された情報を見ながら、管理者用タッチパネル１１３に対するタッチ操作を行うことができる。
【００３２】
入出力インタフェース１２５は、タッチパネル１０９、管理者用タッチパネル１１３、投票カード読取ユニット１１４、紙幣還流ユニット１１５、硬貨還流ユニット１１６、投票券／サービス券印刷ユニット１１７、投票券／サービス券読取ユニット１１８、及び可搬型記録媒体インタフェースから送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、管理者用タッチパネル１１３、投票カード読取ユニット１１４、紙幣還流ユニット１１５、硬貨還流ユニット１１６、投票券／サービス券印刷ユニット１１７、投票券／サービス券読取ユニット１１８、又は可搬型記録媒体インタフェース）へ送信する。
【００３３】
投票カード読取ユニット１１４は、投票カードを受け入れて投票カードの内容（投票内容等）を読み取る。なお、この読み取りは、投票カード読取ユニット１１４が備える例えばイメージスキャナを用いて行われる。
【００３４】
紙幣還流ユニット１１５は、紙幣の受け入れ、紙幣の真贋の鑑別、紙幣の収納、紙幣の返却、釣札の排出を行う。硬貨還流ユニット１１６は、硬貨の受け入れ、硬貨の真贋の鑑別、硬貨の収納、硬貨の返却、釣銭の排出を行う。
【００３５】
投票券／サービス券印刷ユニット１１７は、投票内容を印刷媒体に印刷して投票券として発券する。なお、印刷される投票内容は、例えば、投票券／サービス券読取ユニット１１８による投票券又はサービス券の読取結果に基づくものである。また、投票券／サービス券印刷ユニット１１７は、図３Ａ及び図３Ｂを用いて後述するように、投票券購入代金として利用可能な金額や投票用マーク欄等を印刷媒体に印刷してサービス券として発券する。なお、サービス券発券の際に使用される印刷媒体は、投票券発券の際に使用される印刷媒体と同じものが使用される。
【００３６】
投票券／サービス券読取ユニット１１８は、払い戻しをする投票券を受け入れて投票券の内容（投票内容や券種等）を読み取る。また、投票券／サービス券読取ユニット１１８は、サービス券を受け入れてサービス券の内容（投票券購入代金として利用可能な金額、投票内容、券種等）を読み取る。なお、これらの読み取りは、投票券／サービス券読取ユニット１１８が備える例えばイメージスキャナを用いて行われる。また、投票券／サービス券読取ユニット１１８は、サービス券を一時的に留め置く一時保留部や、サービス券に穴を空ける等して廃券にさせる廃券処理ユニットや、廃券にされたサービス券を収納する廃券スタッカ等も備える。
【００３７】
なお、投票券発券装置１０において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、可搬型記録媒体１１９、或いは通信インタフェース１２３を介してファームウェアを書き込むことができる。このように制御部１１１は、不揮発性メモリに記憶されているファームウェアを書き換えることにより、ファームウェアの更新をすることもできる。
【００３８】
図３Ａは、投票券／サービス券印刷ユニット１１７が発券するサービス券の券面印刷レイアウト例を示す図である。図３Ｂは、図３Ａに示したサービス券のＣの部分に印刷される投票用マーク欄の一例を示す図である。
【００３９】
図３Ａに示したように、サービス券４０は、Ａ、Ｂ、Ｃ、Ｄ、Ｅ、Ｆ、Ｇ、及びＨの部分を有する。Ａの部分には、サービス券４０を利用可能な公営競技場の名称（場名）が印刷される。Ｂの部分には、サービス券４０の有効期限が印刷される。
【００４０】
Ｃの部分には、投票用マーク欄が印刷される。投票用マーク欄は、所定の種類の投票券を購入可能にするためのマーク欄と、その所定の種類以外の種類の投票券をタッチパネル１０９の操作により購入可能にするためのマーク欄とを有する。例えば、図３Ｂに示した投票用マーク欄の例では、所定の種類の投票券を購入可能にするためのマーク欄として、「開催場」を指定するマーク欄４１、「レース」を指定するマーク欄４２、「式別」として「２連単」と「２連複」を指定するマーク欄４３、「１着」を指定するマーク欄４５、「２着」を指定するマーク欄４６、及び「金額（百）」を指定するマーク欄４７を有する。これにより、投票者は、マーク欄４１、４２、４３、４５、４６、及び４７にマークを記入することにより、「２連単」と「２連複」の２種類の投票券を購入することができる。また、図３Ｂに示した投票用マーク欄の例では、それ以外の種類の投票券をタッチパネル１０９の操作により購入可能にするためのマーク欄として、「その他」のマーク欄４４を有する。これにより、投票者は、「その他」のマーク欄４４をマークしておくことにより、「２連単」と「２連複」以外の種類の投票券（例えば３連単等の投票券）を、タッチパネル１０９の操作により購入することができる。なお、投票用マーク欄において、所定の種類の投票券を購入可能にするためのマーク欄は、例えば、運営事業者が顧客に購入して欲しいと考える種類の投票券を購入可能にするためのマーク欄とされる。この場合、運営事業者は、顧客を、所望の種類の投票券購入へ誘導することができる。
【００４１】
図３Ａに示したサービス券４０において、Ｄの部分には、券面印刷情報（例えばサービス券４０の発券日時や発券した投票券発券装置１０の端末番号等）が印刷される。Ｅの部分には、券の名称（例えば「サービス券」）が印刷される。Ｆの部分には、投票券購入代金として利用可能な金額（例えば「５００円」）が印刷される。Ｇの部分には、サービス券４０を利用する際の注意事項が印刷される。Ｈの部分には、サービス券４０に印刷されている情報（券種情報（当該券がサービス券であることを示す情報）や投票券購入代金として利用可能な金額に関する情報を含む）を表すバーコードが印刷される。
【００４２】
図４は、投票券発券装置１０の機能ブロック例を示す図である。
図４に示したように、投票券発券装置１０は、読取部１３１及び発券部１３２を含む。なお、図４は、サービス券による投票券発券に係る機能ブロックのみを示している。
【００４３】
読取部１３１は、投票券／サービス券投入排出口１０２に投入されたサービス券を読み取る。発券部１３２は、読取部１３１によるサービス券の読取結果に基づいて、投票券を発券する。
【００４４】
なお、図４に示す投票券発券装置１０の機能ブロックは、図２に示すＣＰＵ１２０が、後述する図５Ａ及び図５Ｂに示す処理を実行させるプログラムを実行することにより実現されるものである。ここで、図４の読取部１３１は、例えば、図２の制御部１１１及び投票券／サービス券読取ユニット１１８に対応する。図４の発券部１３２は、例えば、図２の制御部１１１及び投票券／サービス券印刷ユニット１１７に対応する。
【００４５】
図５Ａ及び図５Ｂは、投票券発券装置１０が実行する処理の一例を示すフローチャートである。
【００４６】
この処理は、顧客がサービス券を利用して投票券を購入する際等に、投票券発券装置１０が実行する処理である。なお、顧客により利用されるサービス券は、予め公営競技場の運営事業者により発行され、公営競技場や街頭等で無料配布されたものである。サービス券の発行は、管理者が投票券発券装置１０の管理者用タッチパネル１１３を操作して投票券／サービス券印刷ユニット１１７にサービス券を発券させることによって、行われる。
【００４７】
図５Ａに示したように、処理が開始されると、制御部１１１のＣＰＵ１２０は、現金を受け入れる処理を行う（Ｓ１０１）。より詳しくは、ＣＰＵ１２０の制御の下、紙幣還流ユニット１１５が紙幣投入排出口１０５に投入された紙幣を受け入れ、硬貨還流ユニット１１６が硬貨投入口１０６に投入された硬貨を受け入れる。但し、現金の投入が行われなかった場合には、Ｓ１０１をスキップする。
【００４８】
Ｓ１０１の後、ＣＰＵ１２０は、券を受け入れて券面の内容を読み取る処理を行う（Ｓ１０２）。より詳しくは、ＣＰＵ１２０の制御の下、投票券／サービス券読取ユニット１１８が、投票券／サービス券投入排出口１０２に投入された券を受け入れて券面の内容を読み取る。すなわち、投票券を受け入れた場合には投票券の券面の内容（券種、投票内容等）を読み取り、サービス券を受け入れた場合にはサービス券の券面の内容（券種、投票券購入代金として利用可能な金額、投票内容等）を読み取る。
【００４９】
Ｓ１０２の後、ＣＰＵ１２０は、Ｓ１０２で受け入れた券が、的中投票券（的中券ともいう）、不的中投票券（不的中券ともいう）、及びサービス券の何れであるかを判定する（Ｓ１０３）。この判定では、例えば、Ｓ１０２で読み取った券面の内容（券種）に基づいて、まず、投票券であるかサービス券であるかの判定が行われる。そして、投票券であると判定された場合には、Ｓ１０２で読み取った券面の内容（投票内容）と、ＨＤＤ１２２に記憶されている公営競技の結果に関する情報に基づいて、的中投票券であるか不的中投票券であるかの判定が更に行われる。なお、公営競技の結果に関する情報は、管理装置２０からネットワーク３０及び通信インタフェース１２３を介してＨＤＤ１２２に記憶される。
【００５０】
Ｓ１０３の判定結果が不的中投票券であった場合、ＣＰＵ１２０は、Ｓ１０２で受け入れた券（不的中投票券）を返却する処理を行う（Ｓ１０４）。より詳しくは、ＣＰＵ１２０の制御の下、投票券／サービス券読取ユニット１１８が、Ｓ１０２で受け入れた券（不的中投票券）を投票券／サービス券投入排出口１０２から返却する。Ｓ１０４の後は、処理がＳ１０２へ戻る。
【００５１】
一方、Ｓ１０３の判定結果が的中投票券であった場合、ＣＰＵ１２０は、Ｓ１０２で読み取った券面（的中投票券の券面）の内容（投票内容）と、ＨＤＤ１２２に記憶されている公営競技の結果に関する情報に基づいて、的中金額を確定する（Ｓ１０５）。そして、Ｓ１０５の後、ＣＰＵ１２０は、顧客によるタッチパネル１０９の操作に応じて、Ｓ１０５で確定した的中金額を払い戻すか否かを判定する（Ｓ１０６）。この判定では、例えば、顧客が的中金額を払い戻すか否かを選択可能にするための画面がディスプレイ１０８に表示され、その画面に対して、顧客によるタッチパネル１０９の操作が行われる。
【００５２】
他方、Ｓ１０３の判定結果がサービス券であった場合、ＣＰＵ１２０は、投票券／サービス券読取ユニット１１８内の一時保留部に既にサービス券が留め置かれているか否かを判定する（Ｓ１０７）。
【００５３】
Ｓ１０７の判定結果がＹＥＳの場合、Ｓ１０２で受け入れた券（サービス券）は投票券／サービス券読取ユニット１１８内の２枚目のサービス券になることから、ＣＰＵ１２０は、Ｓ１０２で受け入れた券（２枚目のサービス券）を返却する処理を行う（Ｓ１０８）。より詳しくは、ＣＰＵ１２０の制御の下、投票券／サービス券読取ユニット１１８が、Ｓ１０２で受け入れた券（２枚目のサービス券）を投票券／サービス券投入排出口１０２から返却する。Ｓ１０８の後は、処理が１０２へ戻る。
【００５４】
一方、Ｓ１０７の判定結果がＮＯの場合、ＣＰＵ１２０は、Ｓ１０２で受け入れて券面の内容を読み取った券（サービス券）を投票券／サービス券読取ユニット１１８内の一時保留部に留め置く処理を行う（Ｓ１０９）。より詳しくは、ＣＰＵ１２０の制御の下、投票券／サービス券読取ユニット１１８が、Ｓ１０２で受け入れて券面の内容を読み取った券（サービス券）を、内部の一時保留部に留め置く。
【００５５】
Ｓ１０９の後、又は、Ｓ１０６の判定結果がＮＯの場合、ＣＰＵ１２０は、Ｓ１０１で受け入れた現金と、Ｓ１０２で読み取った券面（サービス券の券面）の内容（投票券購入代金として利用可能な金額）又はＳ１０５で確定された的中金額と、に基づいて投入金額を計算する（Ｓ１１０）。すなわち、受け入れた現金とサービス券による投票券購入金額として利用可能な金額との合計金額、又は、受け入れた現金と的中投票券による的中金額との合計金額を投入金額として計算する。但し、Ｓ１０１（現金の受け入れ）がスキップされていた場合には、Ｓ１０１で受け入れた現金は除かれる。
【００５６】
Ｓ１１０の後、ＣＰＵ１２０は、顧客によるタッチパネル１０９の操作に応じて、投入金額を増額するか否かを判定する（Ｓ１１１）。この判定では、例えば、顧客が投入金額を増額するか否かを選択可能にするための画面がディスプレイ１０８に表示され、その画面に対して、顧客によるタッチパネル１０９の操作が行われる。
【００５７】
Ｓ１１１の判定結果がＹＥＳの場合は、処理がＳ１０１へ戻る。
一方、Ｓ１１１の判定結果がＮＯの場合、ＣＰＵ１２０は、顧客が投票するか否かを判定する（Ｓ１１２）。この判定は、例えば、投票券／サービス券読取ユニット１１８がサービス券を受け入れているか否か、及び、投票カード読取ユニット１１４が投票カードを受け入れているか否かに基づいて行われる。例えば、投票券／サービス券読取ユニット１１８がサービス券を受け入れている場合、又は、投票カード読取ユニット１１４が投票カードを受け入れている場合には、Ｓ１１２の判定結果がＹＥＳとなる。一方、投票券／サービス券読取ユニット１１８がサービス券を受け入れておらず、且つ、投票カード読取ユニット１１４が投票カードを受け入れていない場合には、Ｓ１１２の判定結果がＮＯとなる。なお、顧客が投票カードを用いて投票券を購入する場合には、Ｓ１１２の判定前に、投票カードが投票カード投入排出口１０４に投入され、その投票カードの受け入れ及び読み取りが投票カード読取ユニット１１４により行われる。
【００５８】
Ｓ１１２の判定結果がＮＯ、又は、Ｓ１０６の判定結果がＹＥＳの場合、ＣＰＵ１２０は精算処理を行う（Ｓ１１３）。より詳しくは、ＣＰＵ１２０の制御の下、紙幣還流ユニット１１５及び硬貨還流ユニット１１６が、紙幣投入排出口１０５及び硬貨排出口１０７から、Ｓ１０１で受け入れた現金の返却、又は、その現金の返却及びＳ１０５で確定した的中金額分の現金の排出を行う。但し、Ｓ１０１（現金の受け入れ）がスキップされていた場合には、Ｓ１０１で受け入れた現金の返却は行われない。そして、Ｓ１１３の後、ＣＰＵ１２０は、投票券／サービス券読取ユニット１１８内の一時保留部にサービス券が留め置かれている場合に限り、そのサービス券を返却する処理を行う（Ｓ１１４）。より詳しくは、ＣＰＵ１２０の制御の下、その場合に限り、投票券／サービス券読取ユニット１１８が、内部の一時保留部に留め置かれているサービス券を投票券／サービス券投入排出口１０２から返却する。また、Ｓ１１４の後、ＣＰＵ１２０は、Ｓ１１４でサービス券の返却が行われた場合に限り、サービス券の精算ができない旨をディスプレイ１０８に表示する（Ｓ１１５）。
【００５９】
一方、Ｓ１１２の判定結果がＹＥＳの場合、図５Ｂに示したように、ＣＰＵ１２０は、Ｓ１０２で受け入れ及び読み取りが行われた券がサービス券であって、そのサービス券の投票用マーク欄における、所定の種類以外の種類の投票券をタッチパネル１０９の操作により購入可能にするためのマーク欄（例えば図３Ｂの「その他」のマーク欄４４）にマークが記入されていた場合に限り、顧客によるタッチパネル１０９の操作に応じて、投票内容（開催場、レース、式別、購入金額等）の入力を受け付ける（Ｓ１１６）。なお、この受け付けでは、例えば、顧客が所望の投票内容を入力可能にするための画面がディスプレイ１０８に表示され、この画面に対して、顧客によるタッチパネル１０９の操作が行われる。
【００６０】
Ｓ１１６の後、ＣＰＵ１２０は、Ｓ１０２で読み取った券面（サービス券の券面）の内容（投票内容）、Ｓ１１６で受け付けられた投票内容、又は、Ｓ１１２の判定前に読み取った投票カードの券面の内容（投票内容）から、購入金額を読み取る（Ｓ１１７）。
【００６１】
Ｓ１１７の後、ＣＰＵ１２０は、Ｓ１１７で読み取った購入金額とＳ１１０で計算された投入金額との差分に基づいて、投入金額が不足しているか、お釣りが有るか、お釣りが無いかを判定する（Ｓ１１８）。なお、この判定では、Ｓ１１７で読み取った購入金額よりもＳ１１０で計算された投入金額の方が少ない場合には、投入金額が不足していると判定される。一方、Ｓ１１７で読み取った購入金額よりもＳ１１０で計算された投入金額の方が多い場合には、お釣りが有ると判定される。他方、Ｓ１１７で読み取った購入金額とＳ１１０で計算された投入金額とが等しい場合には、お釣りが無いと判定される。
【００６２】
Ｓ１１８の判定結果が投入金額不足の場合は、処理がＳ１１１へ戻る。
一方、Ｓ１１８の判定結果がお釣り有りの場合、ＣＰＵ１２０は、お釣りを返却する処理を行う（Ｓ１１９）。より詳しくは、ＣＰＵ１２０の制御の下、紙幣還流ユニット１１５及び硬貨還流ユニット１１６が、お釣りを紙幣投入排出口１０５及び硬貨排出口１０７から返却する。この場合は、Ｓ１１７で読み取った購入金額とＳ１１０で計算された投入金額との差分がお釣りとして返却される。なお、この場合において、Ｓ１１０で計算された投入金額に、サービス券による投票券購入代金として利用可能な金額が含まれていた場合には、Ｓ１１０で計算された投入金額からサービス券による金額を差し引いた残りの金額が、Ｓ１１７で読み取った購入金額よりも多い場合に限り、その差分をお釣りとして返却するようにしてもよい。すなわち、サービス券による金額分は、お釣りとして返却しないようにしてもよい。
【００６３】
他方、Ｓ１１８の判定結果がお釣り無しの場合、又は、Ｓ１１９の後、ＣＰＵ１２０は、投票券／サービス券読取ユニット１１８内の一時保留部にサービス券が留め置かれている場合に限り、そのサービス券を廃券にする処理を行う（Ｓ１２０）。より詳しくは、ＣＰＵ１２０の制御の下、投票券／サービス券読取ユニット１１８内の廃券処理ユニットが、投票券／サービス券読取ユニット１１８内の一時保留部に留め置かれているサービス券に穴を空ける等してサービス券を廃券にし、それを投票券／サービス券読取ユニット１１８内の廃券スタッカが収納する。
【００６４】
Ｓ１２０の後、ＣＰＵ１２０は、Ｓ１０２で読み取った券面（サービス券の券面）の内容（投票内容）、Ｓ１１６で受け付けた投票内容、又は、Ｓ１１２の判定前に読み取った投票カードの券面の内容（投票内容）に基づいて、投票券を発券する処理を行う（Ｓ１２１）。より詳しくは、ＣＰＵ１２０の制御の下、その投票内容に基づいて、投票券／サービス券印刷ユニット１１７が投票内容を印刷媒体に印刷して投票券として発券する。発券された投票券は、投票券／サービス券排出口１０３から排出される。
【００６５】
そして、Ｓ１２１又はＳ１１５が終了すると、処理が終了する。
以上のように、本実施形態に係る投票券発券装置１０によれば、顧客は、配布されたサービス券を利用して投票券を購入する場合に、そのサービス券に投票内容を記入しておけば、投票カードを用いることなく投票券を購入することができる。従って、投票券の購入手順を簡略化することができる。また、この場合に、投票券発券装置１０では、投票カードの読み取りが行われることなくサービス券の読み取りが行われるだけで投票券の発券が行われるようになるので、投票カードの読み取りが行われない分、投票券発券に要する時間を短縮することもできる。さらに、この場合は投票カードが使用されなくなるので、投票カードの消費量が抑えられ、運営事業者の投票カードに要する費用負担を抑制することもできる。
【００６６】
また、顧客は、サービス券に印刷されている投票用マーク欄における所定のマーク欄（例えば図３Ｂに示した「その他」のマーク欄４４）にマークを記入しておけば、サービス券への記入により購入可能な投票券の種類（例えば図３Ｂに示した「２連単」と「２連複」）以外の種類の投票券を、タッチパネル１０９の操作により購入することができる。この場合も、顧客は、投票カードを使用することなく投票券を購入することができる。
【００６７】
なお、本実施形態においては、次のような変形をしてもよい。
例えば、投票券発券装置１０は、上述のサービス券と、上述のサービス券において投票用マーク欄が印刷されないサービス券と、の２種類のサービス券を扱うように構成してもよい。この場合、後者のサービス券は、投票券発券装置１０において、所定額の投票券購入代金としてのみ利用される。この場合の後者のサービス券も、管理者による管理者用タッチパネル１１３の操作に応じて投票券／サービス券印刷ユニット１１７により発券され、投票券／サービス券排出口１０３から排出される。また、投票券／サービス券投入排出口１０２に投入され、投票券／サービス券読取ユニット１１８により受け入れられ、読み取られる。
【００６８】
また、例えば、サービス券に印刷される投票用マーク欄は、サービス券の裏面にも印刷されるようにしてもよい。あるいは、サービス券の裏面のみに印刷されるようにしてもよい。これにより、投票用マーク欄の印刷スペースとして、より広いスペースを確保することができるので、より多種類の投票券を購入可能にする投票用マーク欄を印刷することができる。なお、この場合は、投票券／サービス券読取ユニット１１８が、サービス券の両面を読み取るように処理が行われる。
【００６９】
また、例えば、投票券発券装置１０が実行するプログラム（上述の図５Ａ及び図５Ｂに示した処理を実行させるプログラムを含む）を、既存の投票券発券装置（従来のサービス券を扱う投票券発券装置）に実行させるように構成することにより、投票券発券装置１０を実現するようにしてもよい。これにより、投票券発券装置１０を実現するにあたり、投票券発券装置１０のハードウェアとして、既存の投票券発券装置のハードウェアを継続利用することができるので、新たなハードウェアを準備する必要が無い。
【００７０】
以上、本発明の実施の形態を説明したが、本発明は、上述した実施の形態に限定されることなく、本発明の要旨を逸脱しない範囲内で種々の改良・変更が可能である。
【符号の説明】
【００７１】
１          トータリゼータシステム
１０        投票券発券装置
２０        管理装置
３０        ネットワーク
４０        サービス券
４１、４２、４３、４４、４５、４６、４７  マーク欄
１０１        運用状況表示窓
１０２        投票券／サービス券投入排出口
１０３        投票券／サービス券排出口
１０４        投票カード投入排出口
１０５        紙幣投入排出口
１０６        硬貨投入口
１０７        硬貨排出口
１０８        ディスプレイ
１０９        タッチパネル
１１１        制御部
１１２        管理者用ディスプレイ
１１３        管理者用タッチパネル
１１４        投票カード読取ユニット
１１５        紙幣還流ユニット
１１６        硬貨還流ユニット
１１７        投票券／サービス券印刷ユニット
１１８        投票券／サービス券読取ユニット
１１９        可搬型記録媒体
１２０        ＣＰＵ
１２１        ＲＡＭ
１２２        ＨＤＤ
１２３        通信インタフェース
１２４        グラフィック処理ユニット
１２５        入出力インタフェース
１２６        バス
１３１        読取部
１３２        発券部
【図１】
2018072987.tif 000003
【図２】
2018072987.tif 000004
【図３Ａ】
2018072987.tif 000005
【図３Ｂ】
2018072987.tif 000006
【図４】
2018072987.tif 000007
【図５Ａ】
2018072987.tif 000008
【図５Ｂ】
2018072987.tif 000009